(57)【要約】【課題】  電気掃除機に接続して使用し、自動での布団掃除を可能とする自動布団掃除具の提供。【解決手段】  布団に接する面に多数の吸込穴を有する上吸込部及び下吸込部と、当該上吸込部及び下吸込部と多数個の上小パイプ及び下小パイプを介して接続されるとともに一端に電気掃除機との接続部を有するパイプと、当該パイプ内に設置され駆動部により中心軸周りに回転するとともに側面に多数の穴を有する回転パイプと、当該回転パイプを回転させるための電動モータ等の駆動装置を内蔵する駆動部と、上吸込部及び下吸込部と上取付具及び下取付具を介して接続される上パイプ及び下パイプを備えた構成としたもの。【選択図】図１
2007007359.tif 000002
【特許請求の範囲】
【請求項１】
布団に接する面に多数の吸込穴を有する上吸込部及び下吸込部と、当該上吸込部及び下吸込部と多数個の上小パイプ及び下小パイプを介して接続されるとともに一端に電気掃除機との接続部を有するパイプと、当咳パイプ内に設置され駆動部により中心軸周りに回転するとともに側面に多数の穴を有する回転パイプと、当該回転パイプを回転させるための電動モータ等の駆動装置を内蔵する駆動部と、上吸込部及び下吸込部と上取付具及び下取付具を介して接続される上パイプ及び下パイプを備えたことを特徴とする電気掃除機用自動布団掃除具。
【請求項２】
上吸込部及び下吸込部が、上シート及び下シートに多数の上ホース及び下ホースが接着された構造もしくはそれと同等の機能を有する構造であり、上ホース及び下ホースの上シート及び下シートに接着するのと反対側すなわち布団に接する側に多数個の吸込穴を備えたことを特徴とする請求項１に記載の電気掃除機用自動布団掃除具。
【請求項３】
回転パイプの側面に開けられた多数個の穴が、軸方向に一列に並ぶことなく周方向及び軸方向にずれて配置された構造であることを特徴とする請求項１に記載の電気掃除機用自動布団掃除具。
【発明の詳細な説明】
【技術分野】
【０００１】  本発明は、電気掃除機に接続して使用し、自動で布団を掃除する掃除具に関するものである。
【背景技術】
【０００２】  従来、一般的な電気掃除機においては、畳用や布団用など様々な用途に合わせた吸込具が多数種販売されており、使用者は使用目的に合わせて吸込具を交換して使用することが一般的である。【０００３】  特に、布団や毛布等のやわらかいものを効率良く掃除する吸込具として、特許公開平７−１２４０８４に示される吸込具や特許公開２００３−２６５３７４に示される吸込具補助具など多くのものが考案され提供されている。これら従来の吸込具は、電気掃除機のホースに接続して使用するものであり、使用者は当該ホースを保持して、人力で吸込具を被掃除物の表面を移動させて使用するのが一般的な使用法である
【特許文献１】  特許公開平７−１２４０８４
【特許文献２】  特許公開２００３−２６５３７４
【発明の開示】
【発明が解決しようとする課題】
【０００４】  以上述べたように、従来の電気掃除機用吸込具では、使用者が、吸込具を接続した電気掃除機のホースを、掃除時に常に保持する必要がある。【０００５】  一方、布団の内部に存在するほこりやダニなどのゴミを十分きれいになるまで掃除するためには、電気掃除機を用いて長時間掃除を実施する必要があることは一般に知られている。このため、人力で布団を掃除する従来の掃除法では、多大なる時間と労力が必要となっていることが現状である。【０００６】  そこで本発明では、電気掃除機に接続して使用し、自動での布団掃除を可能とする自動布団掃除具を提供することを目的とする。
【課題を解決するための手段】
【０００７】  本発明の第１の手段は、電気掃除機用自動布団掃除具が、布団に接する面に多数の吸込穴を有する上吸込部及び下吸込部と、当該上吸込部及び下吸込部と多数個の上小パイプ及び下小パイプを介して接続されるとともに一端に電気掃除機との接続部を有するパイプと、当該パイプ内に設置され駆動部により中心軸周りに回転するとともに側面に多数の穴を有する回転パイプと、当該回転パイプを回転させるための電動モータ等の駆動装置を内蔵する駆動部と、上吸込部及び下吸込部と上取付具及び下取付具を介して接続される上パイプ及び下パイプを備えたことを特徴とする。【０００８】  本発明の第２の手段は、本発明の第１の手段に示す電気掃除機用自動布団掃除具において、上吸込部及び下吸込部が、上シート及び下シートに多数の上ホース及び下ホースが接着された構造もしくはそれと同等の機能を有する構造であり、上ホース及び下ホースの上シート及び下シートに接着するのと反対側すなわち布団に接する側に多数個の吸込穴を備えたことを特徴とする。【０００９】  本発明の第３の手段は、本発明の第１の手段に示す電気掃除機用自動布団掃除具において、回転パイプの側面に開けられた多数個の穴が、軸方向に一列に並ぶことなく周方向及び軸方向にずれて配置された構造であることを特徴とする。【００１０】  本発明の第１の手段による作用は次の通りである。掃除時に、布団は上吸込部と下吸込部の間に置かれ、電気掃除機はパイプの接続部に接続される。上吸込部と下吸込部に配置した多数の吸込穴のうち、回転パイプの側面の穴と一致した位置にある上小パイプ及び下小パイプに接続される上ホース及び下ホースに設置された吸収穴から、布団内部のゴミが吸い出される。吸い出されたゴミは、上ホース及び下ホースの内部を通過し、当該上ホース及び下ホースに接続した上小パイプ及び下小パイプの内部を通過し、回転パイプの内部を通過して、パイプの接続部に接続される電気掃除機に吸い込まれる。【００１１】  本発明の第２の手段による作用は次の通りである。多数の上ホース及び下ホースが上シート及び下シートに接着された構造であるので、多数の上ホース及び下ホースが一体構造となり、使用時や格納時に多数の上ホース及び下ホースがばらばらになることを防止できる。【００１２】  本発明の第３の手段による作用は次の通りである。回転パイプが回転するとともに、回転パイプの穴が軸方向に一列に並んでいないので、回転パイプの側面の穴と一致する上小パイプ及び下小パイプの位置が時間とともに変化する。この結果、吸引可能な上ホース及び下ホースの位置が時間とともに変化するので、自動で、布団の表面を均一に掃除することができる。
【発明の効果】
【００１３】  以上述べたように、本発明は、自動で、効率良く、確実に布団を掃除するための、一般的な電気掃除機に接続して使用できる自動布団掃除具を提供できる。
【発明を実施するための最良の形態】
【００１４】  以下、本発明の実施の形態を、図１〜図５に基づいて説明する。【００１５】  図１及び図２は、本発明の電気掃除機用自動布団掃除具の全体形状を示した斜視概要図である。図１は、上吸込部９が下吸込部１５と概ね平行となり、上吸込部と下吸込部の間に図示しない布団を置いて掃除を行う時の状況を示す。図２は、上吸込部９が上に開いており、図示しない布団を出し入れする時の状況を示す。図３は、図１のＡ−Ａ部の断面図であり、図４及び図５は、図３のＢ−Ｂ部及びＣ−Ｃ部の断面図である。【００１６】  回転パイプ５を内蔵するパイプ４は、駆動部２の駆動部ケース３に固定される。駆動部ケース３には、図示しない電動モータ等の駆動装置が内蔵され、当該駆動装置には電源コード２１を介して電力が供給される。【００１７】  回転パイプ５の接続部１８側の端面は開放され、駆動部２側の端面は閉鎖されている。また、回転パイプ５の駆動部２側の端部は、図示しない電動モータ等の駆動装置に接続され、回転パイプ５がパイプ４の内部を中心軸周りに回転する構造となっている。回転パイプ５の側面には空気の流路となる穴６が、周方向及び軸方向に順次ずれた位置に多数個開いている。穴６の大きさや位置は、図４に示すように、上小パイプ７及び下小パイプ８と同時期に一致する穴６の数が数個となるように設定される。【００１８】  パイプ４の側面には、上小パイプ７及び下小パイプ８が上下２列に固定され、上小パイプ７及び下小パイプ８には上ホース１１及び下ホース１７がはめ込まれる。上ホース１１及び下ホース１７は、合成樹脂やゴムなどの柔軟な素材で形成され、使用時に電気掃除機の吸引力で断面形状が大きく変形しないように内径及び肉厚が設定される。【００１９】  上ホース１１及び下ホース１７には、図３に示すように布団に接する側に、多数の吸込穴１２が設けられる。一本の上ホース１１又は下ホース１７に設けられる吸込穴１２は、図５に示すように１列とすることもできるが、複数列としてもよい。【００２０】  上吸込部９及び下吸込部１５は、上ホース１１及び下ホース１７が吸込穴１２の反対側において上シート１０及び下シート１６に接着されて形成される。上吸込部９及び下吸込部１５は、一般的な布団よりも若干大きい面積となるように設定される。【００２１】  上ホース１１及び下ホース１７の一端は、上パイプ１４及び下パイプ２０に固定されている上取付部１３及び下取付部１９にはめ込んで固定される。【００２２】  以下、上記構成の動作を説明する。掃除の準備をする時には、図２に示すように上吸込部９が持ち上げられ、図示しない布団が下吸込部１５の上に置かれる。電動モータ等の駆動装置に電力を供給するため電源コード２１が電源に接続され、図示しない電気掃除機が接続部１８に接続される。【００２３】  掃除をする時には、図１に示すように図示しない布団が上吸込部９と下吸込部１５の間に挟まれ、駆動部２の図示しない電源スイッチを入れると、回転パイプ５がパイプ４の中を回転する。このとき、図示しない電気掃除機を起動することにより布団の掃除が開始される。【００２４】  布団内部のゴミは、吸込穴１２から吸い込まれ、順に、上ホース１１及び下ホース１７、上小パイプ７及び下小パイプ��、上小パイプ７及び下小パイプ８と一致した位置の回転パイプの穴６、回転パイプ５内部を通過して、接続部１８に接続した図示しない電気掃除機に吸い込まれる。【００２５】  このとき、回転パイプ５が回転しているので、多数本ある上ホース１１及び下ホース１７のうち、吸込力が負荷されるホースは時間とともに変化する。この結果、高い吸込力を維持しながら、掃除むらを防止して、自動的に布団の両面を掃除できる。
【図面の簡単な説明】
【００２６】
【図１】    掃除時における電気掃除機用自動布団掃除具の全体形状を示した斜視概要図
【図２】    掃除準備時における電気掃除機用自動布団掃除具の全体形状を示した斜視概要図
【図３】    図１のＡ−Ａ部の断面図
【図４】    図３のＢ−Ｂ部の断面図
【図５】    図３のＣ−Ｃ部の断面図
【符号の説明】
【００２７】    １  電気掃除機用自動布団掃除具
２  駆動部
３  駆動部ケース
４  パイプ
５  回転パイプ
６  回転パイプの穴
７  上小パイプ
８  下小パイプ
９  上吸込部
１０  上シート
１１  上ホース
１２  吸込穴
１３  上取付部
１４  上パイプ
１５  下吸込部
１６  下シート
１７  下ホース
１８  接続部
１９  下取付部
２０  下パイプ
２１  電源コード
【図１】
2007007359.tif 000003
【図２】
2007007359.tif 000004
【図３】
2007007359.tif 000005
【図４】
2007007359.tif 000006
【図５】
2007007359.tif 000007